【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
光結晶性を利用した印刷媒体であって、
電荷を有する複数の粒子を分散状態で含有している粒子含有媒体を含み、
前記粒子含有媒体に対して電場および磁場のうちの少なくとも１つを印加することによって前記粒子間の間隔を制御し、その後、前記粒子含有媒体に対してエネルギーを印加することによって前記粒子間の間隔を固定するようにし、
前記媒体は前記媒体にエネルギーを印加することにより、可逆的に相変化可能な物質を含むことを特徴とする印刷媒体。
【請求項２】
光結晶性を利用した印刷媒体であって、
電荷を有する複数の粒子を分散状態で含有している粒子含有媒体を含み、
前記粒子含有媒体に対して電場および磁場のうちの少なくとも１つと或るエネルギーとを印加することによって前記粒子間の間隔を制御し、その後、前記粒子含有媒体に対する前記エネルギーの印加を停止することによって前記粒子間の間隔を固定するようにしたことを特徴とする印刷媒体。
【請求項３】
請求項２に記載の印刷媒体であって、
前記粒子含有媒体が、可逆的に相変化可能な物質および非可逆的に硬化可能な物質のうちの少なくとも１つを含むことを特徴とする印刷媒体。
【請求項４】
請求項１または２に記載の印刷媒体であって、
前記エネルギーが、熱エネルギー、光エネルギー、および化学的エネルギーのうちの少なくとも１つを含むことを特徴とする印刷媒体。
【請求項５】
請求項１または２に記載の印刷媒体であって、
前記電場の強度または方向のうちの少なくとも１つの変化に応じて前記粒子間の間隔を変化させ、前記間隔の変化に応じて前記粒子から反射される光の波長を変化させるようにしたことを特徴とする印刷媒体。
【請求項６】
請求項１または２に記載の印刷媒体であって、
前記磁場の強度または方向のうちの少なくとも１つの変化に応じて前記粒子間の間隔を変化させ、前記間隔の変化に応じて前記粒子から反射される光の波長を変化させるようにしたことを特徴とする印刷媒体。
【請求項７】
請求項１または２に記載の印刷媒体であって、
前記粒子自体が電荷を有するか、あるいは前記粒子の性質を任意に変化させることによって前記粒子が電荷を有するようにしたことを特徴とする印刷媒体。
【請求項８】
請求項１または２に記載の印刷媒体であって、
前記粒子が、Ｆｅ、Ｃｏ、Ｎｉのうちの少なくとも１つの成分を含むことを特徴とする印刷媒体。
【請求項９】
請求項１または２に記載の印刷媒体であって、
前記粒子含有媒体に対してエネルギーを印加することによって、前記粒子間の間隔が固定された状態を解除するようにしたことを特徴とする印刷媒体。
【請求項１０】
請求項１または２に記載の印刷媒体であって、
光透過性材料をさらに含み、
前記光透過性材料内に前記粒子含有媒体が散在するように構成したことを特徴とする印刷媒体。
【請求項１１】
請求項１または２に記載の印刷媒体であって、
前記粒子含有媒体上に形成され、前記粒子含有媒体を外部環境から隔離する保護部材をさらに含むことを特徴とする印刷媒体。
【請求項１２】
光結晶性を利用した印刷方法であって、
電荷を有する複数の粒子を分散状態で含有している粒子含有媒体を噴射するステップと、
前記粒子含有媒体に対して電場および磁場のうちの少なくとも１つを印加することによって前記粒子間の間隔を制御するステップと、
前記粒子含有媒体に対してエネルギーを印加することによって前記粒子間の間隔を固定するステップとを含み、
前記媒体は前記媒体にエネルギーを印加することにより、可逆的に相変化可能な物質を含むことを特徴とする印刷方法。
【請求項１３】
光結晶性を利用した印刷方法であって、
電荷を有する複数の粒子を分散状態で含有している粒子含有媒体を噴射するステップと、
前記粒子含有媒体に対して電場および磁場のうちの少なくとも１つと或るエネルギーとを印加することによって前記粒子間の間隔を制御するステップと、
前記粒子含有媒体に対する前記エネルギーの印加を停止することによって前記粒子間の間隔を固定するステップとを含むことを特徴とする印刷方法。
【請求項１４】
請求項１３に記載の印刷方法であって、
前記粒子含有媒体が、可逆的に相変化可能な物質および非可逆的に硬化可能な物質のうちの少なくとも１つを含むことを特徴とする印刷方法。
【請求項１５】
請求項１２または１３に記載の印刷方法であって、
前記エネルギーが、熱エネルギー、光エネルギー、および化学的エネルギーのうちの少なくとも１つを含むことを特徴とする印刷方法。
【請求項１６】
請求項１２または１３に記載の印刷方法であって、
前記電場の強度または方向のうちの少なくとも１つの変化に応じて前記粒子間の間隔を変化させ、前記間隔の変化に応じて前記粒子から反射される光の波長を変化させるようにしたことを特徴とする印刷方法。
【請求項１７】
請求項１２または１３に記載の印刷方法であって、
前記磁場の強度または方向のうちの少なくとも１つの変化に応じて前記粒子間の間隔を変化させ、前記間隔の変化に応じて前記粒子から反射される光の波長を変化させるようにしたことを特徴とする印刷方法。
【請求項１８】
請求項１２または１３に記載の印刷方法であって、
前記粒子自体が電荷を有するか、あるいは前記粒子の性質を任意に変化させることによって前記粒子が電荷を有するようにしたことを特徴とする印刷方法。
【請求項１９】
請求項１２または１３に記載の印刷方法であって、
前記粒子が、Ｆｅ、Ｃｏ、Ｎｉのうちの少なくとも１つの成分を含むことを特徴とする印刷方法。
【請求項２０】
請求項１２または１３に記載の印刷方法であって、
印刷対象物上に付着させた前記粒子含有媒体に対して電場および磁場のうちの少なくとも１つを印加するようにしたことを特徴とする印刷方法。
【請求項２１】
光結晶性を利用した印刷装置であって、
電荷を有する複数の粒子を分散状態で含有している粒子含有媒体を噴射する噴射部と、
前記粒子含有媒体に対して印加される電場および磁場のうちの少なくとも１つを生成する電磁場生成部と、
前記粒子含有媒体に対して印加されるエネルギーを生成するエネルギー生成部とを含み、
前記粒子含有媒体に対して前記電磁場生成部で生成された電場および磁場のうちの少なくとも１つを印加することによって前記粒子間の間隔を制御し、その後、前記粒子含有媒体に対して前記エネルギー生成部で生成されたエネルギーを印加することによって前記粒子間の間隔を固定するようにし、
前記媒体は前記媒体にエネルギーを印加することにより、可逆的に相変化可能な物質を含むことを特徴とする印刷装置。
【請求項２２】
光結晶性を利用した印刷装置であって、
電荷を有する複数の粒子を分散状態で含有している粒子含有媒体を噴射する噴射部と、
前記粒子含有媒体に対して印加される電場および磁場のうちの少なくとも１つを生成する電磁場生成部と、
前記粒子含有媒体に対して印加されるエネルギーを生成するエネルギー生成部とを含み、
前記粒子含有媒体に対して前記電磁場生成部で生成された電場および磁場のうちの少なくとも１つと前記エネルギー生成部で生成されたエネルギーとを印加することによって前記粒子間の間隔を制御し、その後、前記粒子含有媒体に対する前記エネルギーの印加を停止することによって前記粒子間の間隔を固定するようにしたことを特徴とする印刷装置。
【請求項２３】
請求項２１または２２に記載の印刷装置であって、
前記エネルギー生成部が、熱エネルギー、光エネルギー、および化学的エネルギーのうちの少なくとも１つを生成することを特徴とする印刷装置。
【請求項２４】
請求項２１または２２に記載の印刷装置であって、
前記電磁場生成部で生成される電場の強度または方向のうちの少なくとも１つの変化に応じて前記粒子間の間隔を変化させ、前記間隔の変化に応じて前記粒子から反射される光の波長を変化させるようにしたことを特徴とする印刷装置。
【請求項２５】
請求項２１または２２に記載の印刷装置であって、
前記電磁場生成部で生成される磁場の強度または方向のうちの少なくとも１つの変化に応じて前記粒子間の間隔を変化させ、前記間隔の変化に応じて前記粒子から反射される光の波長を変化させるようにしたことを特徴とする印刷装置。
【請求項２６】
請求項２１または２２に記載の印刷装置であって、
印刷対象物上に付着させた前記粒子含有媒体に対して電場および磁場のうちの少なくとも１つを印可するようにしたことを特徴とする印刷装置。